(57)【要約】      （修正有）【課題】機密書類等が貯蔵されたストッカーの施錠を、ピッキングや破錠等の不正開錠を阻止し、かつ簡便な操作によって開錠・施錠が可能な機密書類ストッカー用錠前を提供する。【解決手段】基台の一端側に内装されるロック本体１と、該ロック本体１に装着され、前記基台上面において上下に出没するデッドボルト２と、前記ロック本体１の内側に穿設された垂直状の貫通孔１１内に嵌装される施錠機構と、該施錠機構を作動させて開錠する開錠キーと、から構成される。【選択図】図３
0003165854.tif 000002
【実用新案登録請求の範囲】
【請求項１】
不用となった書類を一時的に貯蔵するストッカーと、該ストッカーの底部に取り付けられた水平方向に出入自在の基台とを、施錠・開錠する錠前であって、
前記基台の一端側に内装されるロック本体と、
該ロック本体に装着され、前記基台上面において上下に出没するデッドボルトと、
前記ロック本体の内側に穿設された垂直状の貫通孔内に嵌装される施錠機構と、
該施錠機構を作動させて開錠する開錠キーと、
から構成されることを特徴とする機密書類ストッカー用錠前。
【請求項２】
請求項１に記載の機密書類ストッカー用錠前にあって、
前記施錠機構は、前記貫通孔内に嵌装される筒状のロックケースと、
該ロックケースに内装されるスピンドル、磁石埋設円筒体、ロータリーカム及びガイドピンと、
前記ロック本体に内装されるデッドボルト保持プレート及びデッドボルト解放カムと、
から構成されることを特徴とする機密書類ストッカー用錠前。
【請求項３】
請求項１に記載の機密書類ストッカー用錠前にあって、
前記開錠キーは、前記スピンドルの内周面に形成した凹溝に対応する凸部を先端部に形成してなると共に、
前記磁石埋設円筒体に対応する先端部に複数の磁石を埋設してなり、作業ロボットにより開錠する円筒状キーである、
ことを特徴とする機密書類ストッカー用錠前。
【請求項４】
請求項１に記載の機密書類ストッカー用錠前にあって、
前記開錠キーは、前記スピンドルの内周面に形成した凹溝に対応する凸部を先端部に形成してなるレバー付き手動キーである、
ことを特徴とする機密書類ストッカー用錠前。
【請求項５】
請求項１に記載の機密書類ストッカー用錠前にあって、
前記ロック本体の正面内側にはデッドボルトとばね材を内装する有底で矩形状の収納溝を形成すると共に、該収納溝の内側面にはデッドボルトのガイド溝を形成している、
ことを特徴とする機密書類ストッカー用錠前。
【請求項６】
請求項１に記載の機密書類ストッカー用錠前にあって、
前記ロック本体は、ばね材を介して水平に取り付けられるデッドボルト保持プレートと、
ばね材を介して垂直に取り付けられるデッドボルト解放カムと、
上面を被覆するロックカバーと、
を備えていることを特徴とする機密書類ストッカー用錠前。
【請求項７】
請求項１に記載の機密書類ストッカー用錠前にあって、
前記デッドボルトの頂部は内側に向けてテーパー面を形成し、
該デッドボルトの内壁面には前記ガイド溝を上下に摺動する複数の突起を形成すると共に、
内壁中央部には前記ガイドピンを上下に摺動させる垂直状の摺動溝が形成されている、
ことを特徴とする機密書類ストッカー用錠前。
【考案の詳細な説明】
【技術分野】
【０００１】  本考案は、機密書類ストッカー用錠前に関し、より詳しくは、不用となった機密書類等を一時的に貯蔵するストッカーの基台に取り付けた施錠機構内に、開錠キーを基台底部から上向きに挿入・回動させデッドボルトを引き下げて開錠し、かつ簡便な操作で再施錠することができる機密書類ストッカー用錠前に関する。
【背景技術】
【０００２】  デッドボルトを用いた錠前について、例えば、特許文献１（第１頁、図１０参照）の「家具及びその例としての机」、特許文献２（第１頁、図３参照）の「ロック機能付きのキャビネット」又は特許文献３（第１頁、図２参照）の「キャビネットにおける抽斗のオールロック」他多数の特許文献が開示されている。しかし、いずれの従来技術においても、開錠キーは、施錠対象物である机、キャビネット、机、キャビネット、ドア等の正面又は側面に設けられた鍵穴に差し込まれて開錠するようになっている。そのためにピッキングや破錠等の不正開錠が簡単に行われ、社会問題化している。
【先行技術文献】
【特許文献】
【０００３】
【特許文献１】特開２００８−８８６６８号公報
【特許文献２】特開２００３−７４２４３号公報
【特許文献３】特開平１０−１５９４２２号公報
【考案の概要】
【考案が解決しようとする課題】
【０００４】  本考案が解決しようとする第１の課題は、機密書類等が貯蔵されたストッカーの施錠を、ピッキングや破錠等の不正開錠を阻止し、かつ簡便な操作によって開錠・施錠が可能な機密書類ストッカー用錠前の提供である。
第２の課題は、不用となった機密書類等の記載内容は、書類をストッカーに投入後は、人による視認が不可能な、セキュリティ面で優れた、機密書類ストッカー用錠前の提供である。
第３の課題は、部品点数を少なくコンパクトな設計とし、施錠・開錠の操作性が良好な機密書類ストッカー用錠前の提供である。
【課題を解決するための手段】
【０００５】  上記の従来技術が有する各種問題点に鑑み鋭意検討を重ね、課題を解決するために、特に鍵穴の取付位置及び開錠手段等に着目し、本考案を完成したものである。
課題を解決するための手段は、本願、実用新案登録請求の範囲の各請求項に記載の考案であり、その具体的な解決手段は、以下の通りである。【０００６】  課題を解決するための第１の考案は、請求項１に記載の考案であり、
不用となった書類を一時的に貯蔵するストッカーと、該ストッカーの底部に取り付けられた水平方向に出入自在の基台とを、施錠・開錠する錠前であって、前記基台の一端側に内装されるロック本体と、該ロック本体に装着され、前記基台上面において上下に出没するデッドボルトと、前記ロック本体の内側に穿設された垂直状の貫通孔内に嵌装される施錠機構と、該施錠機構を作動させて開錠する開錠キーと、から構成されることを特徴としている。【０００７】  課題を解決するための第２の考案は、請求項２に記載の考案であり、
請求項１に記載の機密書類ストッカー用錠前にあって、前記施錠機構は、前記貫通孔内に嵌装される筒状のロックケースと、該ロックケースに内装されるスピンドル、磁石埋設円筒体、ロータリーカム及びガイドピンと、前記ロック本体に内装されるデッドボルト保持プレート及びデッドボルト解放カムと、から構成されることを特徴としている。【０００８】  課題を解決するための第３の考案は、請求項３に記載の考案であり、
請求項１に記載の機密書類ストッカー用錠前にあって、前記開錠キーは、前記スピンドルの内周面に形成した凹溝に対応する凸部を先端部に形成してなると共に、前記磁石埋設円筒体に対応する先端部に複数の磁石を埋設してなり、作業ロボットにより開錠する円筒状自動キーである、ことを特徴としている。【０００９】  課題を解決するための第４の考案は、請求項４に記載の考案であり、
請求項１に記載の機密書類ストッカー用錠前にあって、前記開錠キーは、前記スピンドルの内周面に形成した凹溝に対応する凸部を先端部に形成してなるレバー付き手動キーである、ことを特徴としている。【００１０】  課題を解決するための第５の考案は、請求項５に記載の考案であり、
請求項１に記載の機密書類ストッカー用錠前にあって、前記ロック本体の正面内側にはデッドボルトとばね材を内装する有底で矩形状の収納溝を形成すると共に、該収納溝の内側面にはデッドボルトのガイド溝を形成している、ことを特徴としている。【００１１】  課題を解決するための第６の考案は、請求項６に記載の考案であり、
請求項１に記載の機密書類ストッカー用錠前にあって、前記ロック本体は、ばね材を介して水平に取り付けられるデッドボルト保持プレートと、ばね材を介して垂直に取り付けられるデッドボルト解放カムと、上面を被覆するロックカバーと、を備えていることを特徴としている。【００１２】  課題を解決するための第７の考案は、請求項７に記載の考案であり、
請求項１に記載の機密書類ストッカー用錠前にあって、前記デッドボルトの頂部は内側に向けてテーパー面を形成し、該デッドボルトの内壁面には前記ガイド溝を上下に摺動する複数の突起を形成すると共に、内壁中央部には前記ガイドピンを上下に摺動させる垂直状の摺動溝が形成されている、ことを特徴としている。
【考案の効果】
【００１３】  本考案に係る、機密書類ストッカー用錠前は、上記のような特徴的構成要件から構成され、特徴的構成要件に応じた、以下のような本考案特有の効果を奏する。また、上記のような特徴的構成要件から構成された機密書類ストッカー用錠前によれば、本願考案の課題を十分に解決することができた。即ち、第１の考案によれば、「不用となった書類を一時的に貯蔵するストッカーと、該ストッカーの底部に取り付けられた水平方向に出入自在の基台とを、施錠・開錠する錠前であって、前記基台の一端側に内装されるロック本体と、該ロック本体に装着され、前記基台上面において上下に出没するデッドボルトと、前記ロック本体の内側に穿設された垂直状の貫通孔内に嵌装される施錠機構と、該施錠機構を作動させて開錠する開錠キーと、から構成される」という特徴的な構成要件により、また第２の考案によれば、「請求項１に記載の機密書類ストッカー用錠前にあって、前記施錠機構は、前記貫通孔内に嵌装される筒状のロックケースと、該ロックケースに内装されるスピンドル、磁石埋設円筒体、ロータリーカム及びガイドピンと、前記ロック本体に内装されるデッドボルト保持プレート及びデッドボルト解放カムと、から構成される」という特徴的な構成要件により、さらに第３の考案によれば、「請求項１に記載の機密書類ストッカー用錠前にあって、前記開錠キーは、前記スピンドルの内周面に形成した凹溝に対応する凸部を先端部に形成してなると共に、前記磁石埋設円筒体に対応する先端部に複数の磁石を埋設してなり、作業ロボットにより開錠する円筒状自動キーである」という特徴的な構成要件により、また第４の考案によれば、「請求項１に記載の機密書類ストッカー用錠前にあって、前記開錠キーは、前記スピンドルの内周面に形成した凹溝に対応する凸部を先端部に形成してなるレバー付き手動キーである」という特徴的な構成要件により、機密書類等が貯蔵されたストッカーの施錠を、ピッキングや破錠等の不正開錠を阻止し、かつ簡便な操作によって開錠・施錠が可能な機密書類ストッカー用錠前の提供という、第１の課題と、不用となった機密書類等の記載内容は、書類をストッカーに投入後は、人による視認が不可能な、セキュリティ面で優れた、機密書類ストッカー用錠前の提供という第２の課題を解決することができた。即ち、施錠を開錠するための開錠キーは、基台底部のキー挿入口から上方に向けて挿入して回動しなければならないし、かつ開錠キーの先端部には凸部を形成すると共に、磁石を埋設しているという、特殊な構造であるから、ピッキングや破錠という不正開錠を阻止することができる。【００１４】  第５の考案によれば、「請求項１に記載の機密書類ストッカー用錠前にあって、前記ロック本体の正面内側にはデッドボルトとばね材を内装する有底で矩形状の収納溝を形成すると共に、該収納溝の内側面にはデッドボルトのガイド溝を形成している」という特徴的な構成要件により、また第６の考案によれば、「請求項１に記載の機密書類ストッカー用錠前にあって、前記ロック本体は、ばね材を介して水平に取り付けられるデッドボルト保持プレートと、ばね材を介して垂直に取り付けられるデッドボルト解放カムと、上面を被覆するロックカバーと��を備えている」という特徴的な構成要件により、さらに、第７の考案によれば、「請求項１に記載の機密書類ストッカー用錠前にあって、前記デッドボルトの頂部は内側に向けてテーパー面を形成し、該デッドボルトの内壁面には前記ガイド溝を上下に摺動する複数の突起を形成すると共に、内壁中央部には前記ガイドピンを上下に摺動させる垂直状の摺動溝が形成されている」という特徴的な構成要件により、部品点数を少なくし、コンパクトな設計とし、施錠・開錠の操作性が良好な機密書類ストッカー用錠前の提供という第３の課題を解決することができた。
【図面の簡単な説明】
【００１５】
【図１】は、本考案に係る、機密書類ストッカー用錠前をストッカーに取り付けた状態を示す斜視図である。
【図２】は、デッドボルト他の部材を内装したロック本体の斜視図である。
【図３】は、機密書類ストッカー用錠前を構成する各部材を分離した状態の斜視図である。
【図４】（イ）は、円筒状キーの斜視図、（ロ）は同正面図である。
【図５】（イ）は、手動キーの斜視図、（ロ）は同正面図である。
【図６】は、ロック本体の構造を示し、（イ）は平面図、（ロ）は正面図、（ハ）は背面図、（ニ）は右側面図、（ホ）は底面図である。
【図７】は、施錠機構を構成する各部材を分離した正面図で、（イ）はロックケース、（ロ）はロータリーカム、（ハ）は磁石埋設円筒体、（ニ）はスピンドル、（ホ）は（ハ）におけるＸ−Ｘ矢視図である。
【図８】は、同上組み付けた状態の断面図である。
【図９】は、ロック本体にデッドボルト、デッドボルト保持プレート、デッドボルト解放カム等を組み付ける前の側面図である。
【図１０】は、同上組み付けた状態の断面図である。
【図１１】は、施錠状態を示す断面図である。
【図１２】は、円筒状キーによる開錠状態を示す断面図である。
【図１３】は、手動キーによる開錠状態を示す断面図である。
【００１６】  以下、本考案に係る、機密書類ストッカー用錠前の一実施形態について、図面を参照して詳細に説明する。図１におけるＳは、不用となった機密書類等を投入、収集する函状のストッカーで、該ストッカーＳの底部には、書類投入口Ｓａから投入された書類Ｐを積載する基台Ｂが水平方向に出入自在に取り付けられている。図１における（イ）は、基台ＢがストッカーＳの底部に施錠された状態を示している。１００は、本考案に係る機密書類ストッカー用錠前（以下、錠前１００という）で、ストッカーＳの正面側よりの基台Ｂの一端側に内装されている。基台Ｂの底部にはストッカーＳ内に出入用のキャスターＣが取り付けられている。ストッカーＳの正面中央には、投入書類の積載量を視認するための縦長の覗き孔Ｓｂが設けられ、書類Ｐが所定量に達すれば、ストッカーＳは、施錠状態のまま搬送用の車両等により、書類を溶解する処理工場における所定の場所へ搬入され、錠前１００は開錠され、基台Ｂは、ストッカーＳから図１に示す（ロ）のように引き出される。これにより基台Ｂ上に積載されていた書類Ｐは、書類処理装置、例えば、溶解槽（不図示）等内に自重で落下するようになっている。【００１７】  図２は、錠前１００を構成するロック本体１を示し、該ロック本体１に内装される主な構成部材を図３に示している。錠前１００は、基台Ｂの一端側に内装されるロック本体１と、該ロック本体１内に装着され、基台Ｂ上面において上下に出没するデッドボルト２と、ロック本体１の内側に垂直状に穿設された貫通孔１１内に嵌装される施錠機構と、該施錠機構を作動させて開錠する開錠機構とから構成されている。ロック本体１の正面内側にはデッドボルト２とばね材３を内装する有底で矩形状の収納孔１２を形成すると共に、該収納溝１２の内側面にはデッドボルト２のガイド溝１３が形成されている。デッドボルト２の頂部は、内側に向けてテーパー面２１が形成され、また該デッドボルト２の内壁面にはロック本体１のガイド溝１３を上下に摺動する複数の突起２２が形成されていると共に、内壁中央部には、後述するガイドピン８を上下に摺動させる垂直状の摺動溝２３が刻設されている。また該摺動溝２３に対応する貫通孔１１にもガイドピン８を上下に摺動させる垂直状の摺動溝１１ａが形成されている。施錠機構を構成するのは、ロック本体１の貫通孔１１内に嵌装される筒状のロックケース４と、該ロックケース４に内装されるスピンドル５、磁石埋設円筒体６、ロータリーカム７、ガイドピン８及びロック本体１の背面側から取り付けられるデッドボルト保持プレート９、底部から取り付けられるデッドボルト解放カム１０とからなっている。ロックケース４の上部周面にはガイドピン８を挿通し上下に摺動させる垂直スリット４ｂ、４ｂが設けられ、一方の垂直スリット４ｂの下方には磁石埋設円筒体６を固定するための取付孔４ｃが穿設されている。４ｄは磁石埋設円筒体６に形成された凸条６ａをスライドさせる凹部である（図７（イ）参照）。デッドボルト保持プレート９は、ロック本体１に設けられた水平長穴１６にばね材３１、止め具３３を介して水平状に保持される。デッドボルト保持プレート９には矩形状の係止孔９ａが設けられている。デッドボルト��放カム１０は、ばね材３２を介してロック本体１に設けられた垂直長穴１７に挿入され、該デッドボルト解放カム１０の頂部に形成されたフック１０ａが係止孔９ａに係止される（図３、図９、図１０参照）。１４は、ロックケース４のフランジ４ａを固定させるための凹部で、１５はロック本体１に嵌装されたロックケース４の上面を被覆するロックカバーである。【００１８】  図４は、錠前１００を開錠するための円筒状キーＡＫで、磁石埋設円筒体６に埋設された磁石６Ｍ１、６Ｍ２、６Ｍ３（図７（ハ）、（ホ）参照）に対応するように先端部に複数の磁石Ｍ１、Ｍ２、Ｍ３を埋設してなり、磁極の反発力を利用するもので、先端部には、係合孔ＡＫ１が設けられると共に、先端部の外周面には２の凸条ＡＫ２が形成されている。円筒状キーＡＫは、作業ロボット（不図示）により、ロックケース４に嵌装されているスピンドル５内に挿入されて回動し、自動的に開錠するものである。図５は、錠前１００を開錠するための手動キーＨＫで、作業ロボットが故障等により使用できないときに使用するもので、図５に示すように、該手動キーＨＫの先端部には、係合孔ＨＫ１が設けられると共に、複数の磁石Ｍ１、Ｍ２、Ｍ３が埋設されている。該外周面には２の凸条ＨＫ２が形成されている。ＨＫ３は、ロックケース４に嵌装されているスピンドル５内に挿入して回動し、開錠するためのレバーである。【００１９】  図６は、ロック本体１の詳細を示すもので、外観形状としては、縦幅約４５ｍｍ×横幅約７０ｍｍ×高さ約４５ｍｍのほぼ矩形状立方体をなし、デッドボルト２及び施錠機構を構成するロックケース４他各部材をコンパクトに内装できるようになっている。ロック本体１及びデッドボルト２の材質としては、例えば、亜鉛合金、アルミ合金又はマグネシウム合金等が好適に使用される。【００２０】  図７は、施錠機構を構成する各部材を示している。（イ）のロックケース４、（ロ）のロータリーカム７、（ハ）の磁石埋設円筒体６、（ニ）のスピンドル５の材質は、いずれも硬質樹脂材からなっている。なお、ロータリーカム７の周面に設けられた摺動溝７ａとロックケース４の周面に設けられた垂直スリット４ｂに挿通されるガイドピン８は金属製である。ロータリーカム７は有底で、該底部の中央にはスピンドル５に突設された円筒軸５ａの軸頭５ｂを係止する係止孔７ｂが設けられている。またスピンドル５の内周面には、手動キーＨＫの凸条ＨＫ２に対応するように凹部５ｄが形成されている。磁石埋設円筒体６には、底部に等間隔で穿設された取付孔に磁石６Ｍ１、６Ｍ２、６Ｍ３が埋設され、ばね材３４によって下方に圧接されている。６ｂは緩み止めピン８１の取付孔である。６ｃは磁石埋設円筒体６の下端周縁に設けられたスライド溝で、スピンドル５の上面に形成された突起５ｃが係合して９０°回動するようになっている。図８は、図７に示す各部材を組み付けた状態を示している。【００２１】  図９は、ロック本体１にデッドボルト２、デッドボルト保持プレート９、デッドボルト解放カム１０等を組み付ける前の状態を示している。２４は、ばね材収納溝で、２５は、デッドボルト保持プレート９の先端を保持するための水平横溝である。デッドボルト解放カム１０をデッドボルト保持プレート９に係止するのには、まず、ばね材３２を垂直長穴１７に装着する。次にデッドボルト保持プレート９を水平長穴１６に押し込んだ後、デッドボルト解放カム１０を垂直長穴１７から上方に押し上げ、係止孔９ａにデッドボルト解放カム１０のフック１０ａを係止する。続いてばね材３１をデッドボルト保持プレート９の後端に押し込み、止め具３３で封止する。なお１０ｂは、フック１０ａの下方に形成されたテーパー面である。図１０は、デッドボルト２、デッドボルト保持プレート９、デッドボルト解放カム１０、ばね材３２等が組み付けられた後の状態を示している。図示するように、デッドボルト保持プレート９の先端部は、デッドボルト２の水平横溝２５に係止される。【００２２】  図１１は、デッドボルト２が上方に突出して施錠している状態を示している。デッドボルト２は、ばね材３の付勢力によってロック本体１の上面から突出し、ストッカーＳの正面裏壁面Ｓ１に施錠される。ガイドピン８は、ロータリーカム７の摺動溝７ａの最上部に保持され、かつデッドボルト２の摺動溝２３の最下部に保持されている。Ｂ１は、開錠用のキー挿入口である。【００２３】  図１２は、円筒状キーＡＫを用いて開錠した状態を示している。円筒状キーＡＫは、作業ロボットを遠隔操作して行われるもので、円筒状キーＡＫは、基台Ｂの底部に設けたキー挿入口Ｂ１から挿入される。円筒状キーＡＫの先端部には複数の磁石Ｍ１、Ｍ２、Ｍ３が埋設されている。一方磁石埋設円筒体６には、底部に等間隔で穿設された取付孔に磁石６Ｍ１、６Ｍ２、６Ｍ３が埋設され、例えば、該磁石６Ｍ１、６Ｍ２、６Ｍ３における下方の磁極をＮ極とし、円筒状キーＡＫの磁石Ｍ１、Ｍ２、Ｍ３の上端部磁極をＮ極とすれば、円筒状キーＡＫの磁石Ｍ１、Ｍ２、Ｍ３と磁石埋設円筒体６の磁石６Ｍ１、６Ｍ２、６Ｍ３が反発することにより、磁石埋設円筒体６の磁石６Ｍ１、６Ｍ２、６Ｍ３が押し込まれて、スピンドル５が可動状態になるので、軸部を右又は左方向に回動すれば、ガイドピン８は、デッドボルト解放カム１０、デッドボルト保持プレート９及びばね材３１、３２を介して下方に引き下げられ、デッドボルト２は、ばね材３の付勢力に抗して収納溝１２内に収納されて、開錠される。【００２４】  図１３は、手動キーＨＫを用いて開錠した状態を示している。手動キーＨＫは、例えば、作業ロボットの故障時等に使用されるもので、作業者は、手動キーＨＫのレバーＨＫ３を把持し、スピンドル５内に先端部を挿入すれば、手動キーＨＫの磁石Ｍ１、Ｍ２、Ｍ３と磁石埋設円筒体６の磁石６Ｍ１、６Ｍ２、６Ｍ３が反発することにより、磁石埋設円筒体６の磁石６Ｍ１、６Ｍ２、６Ｍ３が押し込まれて、スピンドル５が可動状態になるので、手動キーＨＫの凸条ＨＫ２をスピンドル５の凹部５ｄに係止させ、レバーＨＫ３を右又は左方向に回動すれば、ガイドピン８は、デッドボルト解放カム１０、デッドボルト保持プレート９及びばね材３１、３２を介して下方に引き下げられ、デッドボルト２は、ばね材３の付勢力に抗して収納溝１２内に収納されて、開錠される。【００２５】  錠前１００を再施錠するには、基台ＳをストッカーＳの底部に押し込めば、デッドボルト解放カム１０は、処理装置���所定位置に設けた当接板（不図示）等に、該デッドボルト解放カム１０の下端部が接触して押し上げれられ、ガイドピン８は、ばね材３１のバネ圧等により上昇しするのに伴い、デッドボルト２は基台Ｂから突出して施錠される。
【符号の説明】
【００２６】Ｓ・・・ストッカー、Ｂ・・・基台、Ｂ１・・・キー挿入口、１００・・・機密書類ストッカー用錠前、１・・・ロック本体、１１・・・貫通孔、１２・・・収納孔、１３・・・ガイド溝、１４・・・凹部、１５・・・ロックカバー、１６・・・水平長穴、１７・・・垂直長穴、２・・・デッドボルト、２１・・・テーパー面、２２・・・突起２３・・・摺動溝、２４・・・ばね材収納溝、２５・・・水平横溝、３・・・ばね材、４・・・ロックケース、４ｂ・・・垂直スリット、４ｄ・・・凹部、５・・・スピンドル、５ｃ・・・突起、５ｄ・・・凹部、６・・・磁石埋設円筒体、６ａ・・・凸条、６ｃ・・・スライド溝、６Ｍ１、６Ｍ２、６Ｍ３・・・磁石、７・・・ロータリーカム、８・・・ガイドピン、９・・・デッドボルト保持プレート、９ａ・・・係止孔、１０・・・デッドボルト解放カム、１０ａ・・・フックＡＫ・・・円筒状キー、Ｍ１、Ｍ２、Ｍ３・・・磁石、ＨＫ・・手動キー、ＨＫ２・・・凸条
【図１】
0003165854.tif 000003
【図２】
0003165854.tif 000004
【図３】
0003165854.tif 000005
【図４】
0003165854.tif 000006
【図５】
0003165854.tif 000007
【図６】
0003165854.tif 000008
【図７】
0003165854.tif 000009
【図８】
0003165854.tif 000010
【図９】
0003165854.tif 000011
【図１０】
0003165854.tif 000012
【図１１】
0003165854.tif 000013
【図１２】
0003165854.tif 000014
【図１３】
0003165854.tif 000015